(57)【要約】【課題】コンテンツをユーザに提供するために有効なシステム及び方法の提供。【解決手段】システムは、サウンド装置と、スマートフォンと、プロセッサとを含んでもよい。サウンド装置は、変調されたコードを出力してもよい。サウンド装置は、コードに基づく周期波を生成するために有効なプロセッサと、プロセッサと電気的に通じているスピーカとを含んでもよい。スピーカは、コードに基づく変調されたコードを出力してもよい。スマートフォンは、変調されたコードを受信及び復調して、コードを再生してもよい。スマートフォンは、コードを、プロセッサに送信してもよい。プロセッサは、コードを受信し、コードに関連するコンテンツを決定し、コンテンツを、ネットワーク上で、スマートフォンに送信してもよい。スマートフォンは、更に、コンテンツを受信し、コンテンツを、ディスプレイ上に表示してもよい。【選択図】図１
2013069296.tif 000002
【特許請求の範囲】
【請求項１】
コンテンツをユーザに提供するために有効なシステムであって、前記システムは、
コードを変調して、変調されたコードを生成するために有効な、サウンド装置と
（前記サウンド装置は、
コードに基づいて、周期波を生成するために有効な、第１のプロセッサと、
前記第１のプロセッサと電気的に通じているスピーカとを含み、前記スピーカは、前記周期波を受信し、前記コードに基づく変調されたコードを含むサウンド波を出力するために有効であり）、
前記サウンド装置と通信状態にあるスマートフォンとを備え、前記スマートフォンは、
前記変調されたコードを受信し、
前記変調されたコードを復調して、前記コードを再生し、
前記コードを、ネットワーク上で、第２のプロセッサへのクエリとして送信する
ために有効であり、前記第２のプロセッサは、
前記コードを含む前記クエリを受信し、
前記コードに関連するコンテンツを決定し、
前記コンテンツを、前記スマートフォンに送信する
ために有効であり、前記スマートフォンは、前記コンテンツを受信し、前記コンテンツを出力するために更に有効である、システム。
【請求項２】
前記周期波は、少なくとも、第１の周波数セット、及び第２の周波数セットを含み、
前記変調されたコードは、前記第１の周波数セット、及び前記第２の周波数セット上で変調された、前記コードを含む、
請求項１に記載のシステム。
【請求項３】
前記サウンド装置は、前記第１のプロセッサと前記スピーカとの間の、スイッチを更に備え、
電源が、前記スイッチ、及び前記スピーカと、電気的に通じている、
請求項２に記載のシステム。
【請求項４】
前記スイッチは、前記周期波に応えて、前記電源から、前記スピーカに、選択的に電力を供給するために有効である、請求項３に記載のシステム。
【請求項５】
前記スイッチと前記電源との間に、抵抗器を更に備える、請求項４に記載のシステム。
【請求項６】
前記抵抗器は、可変であり、前記スピーカによって出力される音のボリュームを調節するために有効である、請求項５に記載のシステム。
【請求項７】
前記スイッチは、ＮＰＮ又はＰＮＰトランジスタである、請求項５に記載のシステム。
【請求項８】
前記プロセッサは、ＰＩＣ１０Ｆ２００ＯＴである、請求項１に記載のシステム。
【請求項９】
前記プロセッサは、第１、第２、第３、第４、第５、及び第６の端子を含む、ＰＩＣ１０Ｆ２００ＯＴであり、
前記第１、及び第２の端子は、前記電源と電気的に通じており、
前記第３の端子は、前記スイッチと電気的に通じている、
請求項４に記載のシステム。
【請求項１０】
前記コードは、前記プロセッサ内に記憶される、請求項１に記載のシステム。
【請求項１１】
コンテンツをユーザに提供する方法であって、前記方法は、
第１のプロセッサによって、コードに基づいて、周期波を生成し、
前記周期波を、スピーカに送信し、
前記スピーカによって、変調されたコードを含むサウンド波を出力し、前記変調されたコードは、前記コードに基づくものであり、
スマートフォンによって、前記変調されたコードを受信し、
前記スマートフォンによって、前記変調されたコードを復調して、前記コードを再生し、
前記スマートフォンによって、前記コードを、ネットワーク上で、第２のプロセッサへのクエリとして送信し、
前記第２のプロセッサによって、前記コードを含む前記クエリを受信し、
前記第２のプロセッサによって、前記コードに関連するコンテンツを決定し、
前記第２のプロセッサによって、前記コンテンツを、前記スマートフォンに送信し、
前記スマートフォンにおいて、前記コンテンツを受信し、
前記スマートフォンによって、前記コンテンツを出力すること
を含む、方法。
【請求項１２】
前記周期波は、少なくとも、ロジック０に対応する第１の周波数セット、及びロジック１に対応する第２の周波数セットを含み、
前記変調されたコードは、前記第１の周波数セット、及び前記第２の周波数セット上で変調された、前記コードを含む、
請求項１に記載のシステム。
【請求項１３】
前記周期波に応えて、電源から、前記スピーカに、選択的に電力を供給するために、前記周期波を、スイッチに送信すること
を更に含む、請求項１２に記載のシステム。
【請求項１４】
前記スピーカによって出力される音のボリュームを調節するために、前記電源と前記スイッチとの間の、抵抗器を調節することを更に含む、請求項１３に記載のシステム。
【請求項１５】
コンテンツをユーザに提供するために有効なシステムであって、前記システムは、
コードを変調して、変調されたコードを生成するために有効な、サウンド装置を備え、  前記サウンド装置は、
コードに基づいて、周期波を生成するために有効な、第１のプロセッサと、
前記第１のプロセッサと電気的に通じているスピーカとを含み、前記スピーカは、前記周期波を受信し、前記コードに基づく変調されたコードを含むサウンド波を出力する
ために有効であり、第２のプロセッサは、
スマートフォンから、前記コードを含むクエリを受信し、
前記コードに関連するコンテンツを決定し、
前記コンテンツを、前記スマートフォンに送信する
ために有効である、システム。
【請求項１６】
前記周期波は、少なくとも、第１の周波数セット、及び第２の周波数セットを含み、
前記変調されたコードは、前記第１の周波数セット、及び前記第２の周波数セット上で変調された、前記コードを含む、
請求項１５に記載のシステム。
【請求項１７】
前記サウンド装置は、前記第１のプロセッサと前記スピーカとの間の、スイッチを更に備え、
電源が、前記スイッチ、及び前記スピーカと、電気的に通じている、
請求項１６に記載のシステム。
【請求項１８】
前記スイッチは、前記周期波に応えて、前記電源から、前記スピーカに、選択的に電力を供給するために有効である、請求項１７に記載のシステム。
【請求項１９】
前記スイッチと前記電源との間に、抵抗器を更に備える、請求項１８に記載のシステム。
【請求項２０】
前記抵抗器は、可変であり、前記スピーカによって出力される音のボリュームを調節するために有効である、請求項１９に記載のシステム。
【発明の詳細な説明】
【技術分野】
【０００１】
本出願は、２０１１年９月２３日出願の、「ＳＹＳＴＥＭ  ＥＦＦＥＣＴＩＶＥ  ＴＯ  ＥＮＣＯＤＥ  Ａ  ＳＩＧＮＡＬ  ＡＮＤ  ＰＲＯＶＩＤＥ  ＣＯＮＴＥＮＴ  ＴＯ  Ａ  ＵＳＥＲ（信号をエンコードし、コンテンツをユーザに提供するために有効なシステム）」と題され、発明者としてＡｌｅｘ  Ｂｅｌｌ（アレックス・ベル）及びＪｏｎａｔｈａｎ  Ｇｌａｎｚ（ジョナサン・グランツ）が挙げられた、同時係属中の、仮出願第６１／５３８，３７０号の優先権を主張するものであり、かつ、２０１１年９月２３日出願の、「ＳＹＳＴＥＭ  ＥＦＦＥＣＴＩＶＥ  ＴＯ  ＤＥＣＯＤＥ  Ａ  ＳＩＧＮＡＬ  ＡＮＤ  ＰＲＯＶＩＤＥ  ＣＯＮＴＥＮＴ  ＴＯ  Ａ  ＵＳＥＲ（信号をデコードし、コンテンツをユーザに提供するために有効なシステム）」と題され、発明者としてＡｌｅｘ  Ｂｅｌｌ（アレックス・ベル）及びＪｏｎａｔｈａｎ  Ｇｌａｎｚ（ジョナサン・グランツ）が挙げられた、同時係属中の、仮出願第６１／５３８，３９５号の、及び、２０１１年９月２３日出願の、「ＤＥＶＩＣＥ  ＥＦＦＥＣＴＩＶＥ  ＴＯ  ＥＮＣＯＤＥ  Ａ  ＳＩＧＮＡＬ  ＡＮＤ  ＴＯ  ＰＲＯＶＩＤＥ  ＣＯＮＴＥＮＴ  ＴＯ  Ａ  ＵＳＥＲ（信号をエンコードするため、及びコンテンツをユーザに提供するために有効な装置）」と題され、発明者としてＡｌｅｘ  Ｂｅｌｌ（アレックス・ベル）及びＪｏｎａｔｈａｎ  Ｇｌａｎｚ（ジョナサン・グランツ）が挙げられた、同時係属中の、仮出願第６１／５３８，４４３号の優先権を主張するものであり、これらの３つの出願は全て、それらの全体が参照によって本明細書中に援用される。
【０００２】
この開示は、サウンド装置とのサウンド通信状態にある潜在的なユーザに、的を絞ったコンテンツを提供するために有効な、システム及び方法に関する。
【背景技術】
【０００３】
スマートフォンは、セルラ又は衛星ネットワーク上で通信することが可能な、装置及び構成を含んでもよい。スマートフォンは、また、スマートフォンが入手できるデータのいくらかを利用することが可能な、アプリケーションを記憶することが可能であってもよい。例えば、アプリケーションは、ユーザの連絡先リストと位置とを組み合わせて、ユーザのための追加のコンテンツを生成することが可能であってもよい。
【発明の概要】
【課題を解決するための手段】
【０００４】
本発明の一実施形態は、コンテンツをユーザに提供するために有効なシステムである。このシステムは、コードを変調して、変調されたコードを生成するために有効な、サウンド装置を含んでもよい。サウンド装置は、コードに基づいて、周期波を生成するために有効な、第１のプロセッサを含んでもよい。サウンド装置は、第１のプロセッサと電気的に通じているスピーカを更に含んでもよく、スピーカは、周期波を受信し、コードに基づく変調されたコードを含むサウンド波を出力するために有効である。このシステムは、サウンド装置と通信状態にあるスマートフォンを更に含んでもよい。スマートフォンは、変調されたコードを受信し、変調されたコードを復調して、コードを再生し、コードを、ネットワーク上で、第２のプロセッサへのクエリとして送信するために有効であってもよい。第２のプロセッサは、コードを含むクエリを受信し、コードに関連するコンテンツを決定し、コンテンツを、スマートフォンに送信するために有効であってもよい。スマートフォンは、コンテンツを受信し、コンテンツを出力するために更に有効であってもよい。
【０００５】
本発明の別の実施形態は、コンテンツをユーザに提供する方法である。この方法は、第１のプロセッサによって、コードに基づいて、周期波を生成することを含んでもよい。この方法は、周期波を、スピーカに送信することを更に含んでもよい。この方法は、スピーカによって、変調されたコードを含むサウンド波を出力することを更に含んでもよく、変調されたコードは、コードに基づくものである。この方法は、スマートフォンによって、変調されたコードを受信することを更に含んでもよい。この方法は、スマートフォンによって、変調されたコードを復調して、コードを再生することを更に含んでもよい。この方法は、スマートフォンによって、コードを、ネットワーク上で、第２のプロセッサへのクエリとして送信することを更に含んでもよい。この方法は、第２のプロセッサによって、コードを含むクエリを受信することを更に含んでもよい。この方法は、第２のプロセッサによって、コードに関連するコンテンツを決定することを更に含んでもよい。この方法は、第２のプロセッサによって、コンテンツを、スマートフォンに送信することを更に含んでもよい。この方法は、スマートフォンにおいて、コンテンツを受信することを更に含んでもよい。この方法は、スマートフォンによって、コンテンツを出力することを更に含んでもよい。
【０００６】
本発明の更に別の実施形態は、コンテンツをユーザに提供するために有効なシステムである。このシステムは、コードを変調して、変調されたコードを生成するために有効な、サウンド装置を含んでもよい。サウンド装置は、コードに基づいて、周期波を生成するために有効な、第１のプロセッサと、第１のプロセッサと電気的に通じているスピーカとを含んでもよい。スピーカは、周期波を受信し、コードに基づく変調されたコードを含むサウンド波を出力するために有効であってもよい。第２のプロセッサは、スマートフォンから、コードを含むクエリを受信し、コードに関連するコンテンツを決定し、コンテンツを、スマートフォンに送信するために有効であってもよい。
【０００７】
この開示の、前述の、及びその他の特徴は、以下の説明、及び添付の特許請求の範囲を、添付の図面と組み合わせて参照することによって、より完全に明らかになるであろう。これらの図面は、本開示によるいくつかの実施形態のみを示し、従って、本開示の範囲を限定するものとみなされるべきではないことを理解して、添付の図面を参照することによって、本開示は、追加の特定性及び詳細と共に説明される。
【図面の簡単な説明】
【０００８】
【図１】本発明の一実施形態による、コードを変調し、コンテンツをユーザに提供するために有効なシステムの、システム図である。
【図２】本発明の一実施形態によって実行されてもよいプロセスを示すフローチャートである。
【発明を実施するための形態】
【０００９】
以下の詳細な説明では、その一部を形成する添付の図面を参照する。文脈によって特に指示されない限り、図面において、同様の記号は、通常、同様の構成要素を識別する。詳細な説明、図面、及び特許請求の範囲に記載された、例示的な実施形態は、限定することを意図するものではない。本明細書中で提示される主題の精神又は範囲を逸脱することなく、その他の実施形態が利用されてもよく、その他の変更が行われてもよい。本明細書中に全般的に記載された、及び添付の図面で示された、本開示の態様は、幅広い様々な構成において、配列、置換、組み合わせ、分離、及び／又は設計されてもよく、それらの全ては本明細書中で明確に企図される、ということは容易に理解されるであろう。
【００１０】
図１を参照すると、本発明の一実施形態によるシステム１００が示されている。要約すれば、スマートフォン１０４が、サウンド装置１０６によって出力されたオーディオ波１３６を受信するように構成されてもよい。波１３６は、バイナリコード１３８を変調するために周波数変調されたものであってもよい。スマートフォン１０４は、波１３６内で送信された、変調されたコード１５２から、コード１３８を復調して、コード１３８を再生してもよい。スマートフォン１０４は、強化されたコード１４０を、ネットワーク１１６を通じて、プロセッサ１５０へのクエリとして送信してもよい。強化されたコード１４０を含むクエリに応えて、プロセッサ１５０は、スマートフォン１０４によって出力されるべきコンテンツ１４８を、スマートフォン１０４に送信してもよい。ユーザ１０２は、スマートフォン１０４の振動などを介して、コンテンツ１４８の受信を通知されてもよい。コンテンツ１４８は、クーポン、音声、映像、音声映像、デジタルコンテンツピース、映画、ウェブページ、コンテンツへのポインタなどの、スマートフォンによって出力されることが可能な任意のものであってもよい。
【００１１】
スマートフォン１０４は、アンテナ１１２、ディスプレイ１１６、メモリ１１８、ユーザインタフェース１４６、マイクロフォン１４５、カメラ１４４（全てプロセッサ１１３と通信状態にある）を含んでもよい。アンテナ１１２は、ネットワーク１２２内のセルラ基地局１４４又は衛星１４２との無線通信を可能にしてもよい。メモリ１１８は、プロセッサ１１３に命令を提供するために有効な、アプリケーション１３４を記憶してもよい。
【００１２】
サウンド装置１０６は、サウンド波を出力することが可能な任意の装置であってもよい。例えば、サウンド装置１０６は、スマートフォン１２０、テレビ１２４、コンピュータ１２６、会議において参加者が装着してもよいバッジ１３０、ビーコンなどのスピーカ１２８、などであってもよい。サウンド装置１０６がビーコン１２８である例では、ビーコン１２８は、例えば、店内の棚１５４の上に配置されてもよい。スピーカ１２８は、拡声システム内などにある、人間に聞こえるサウンド波を出力するために有効なスピーカであってもよい。サウンド装置１０６は、プロセッサ１５６と、コード１３８を含んでもよいメモリ１３２とを、含んでもよく、かつ／又は、それらと通信状態にあってもよい。サウンド装置１０６は、サウンド装置１０６と、スマートフォン１０４を使用している潜在的ユーザ１０２との間の、所望の距離に基づいて、サウンド波１３６のボリュームの大きさを調節するように構成されてもよい。サウンド波１３６のボリュームの大きさに基づいて、変調されたコード１５２をスマートフォン１０４が復調するのが困難な位置、及び、変調されたコード１５２をスマートフォン１０４が復調できる位置を含む、範囲が規定されてもよい。
【００１３】
発明者らは、多くの様々なタイプの装置がサウンド装置１０６のために使用されてもよいため、多くの様々な周波数範囲が、サウンド波１３６上にコード１３８を変調するために使用されてもよく、変調されたコード１５２の復調が複雑になっている、ということを発見した。更に、サウンド装置１０６の周囲の環境は、雑音が多い可能性がある。コード１３８は、ロジック０及びロジック１を含む、バイナリコードであってもよい。サウンド装置１０６は、プロセッサ１５６などを介して、第１の周波数範囲の、ロジック「０」のための割り当て、及び、第２の周波数範囲の、ロジック「１」のための割り当てによって、変調されたコード１５２を、変調及び出力するように構成されてもよい。これにより、様々なスピーカ分解能出力を有してもよい、複数の別個のサウンド装置１０６から、変調されたコード１５２が出力されることが可能になる。
【００１４】
例えば、ロジック「０」が、約２０，５５０Ｈｚと約２１，０００Ｈｚとの間の範囲内の周波数を有する、波１３６の中のサウンドパルスに割り当てられてもよい。同様に、ロジック「１」が、約２１，０００Ｈｚから約２２，０００Ｈｚまでの範囲内の周波数を有するサウンドパルスに割り当てられてもよい。各サウンドパルスは、例えば、持続時間が約１ｍｓであってもよい。サウンド装置１０６は、従って、第１の周波数範囲、及び第２の周波数範囲内のサウンドパルスをそれぞれ出力することによって、一連のロジック０及び１を含む、変調されたコード１５２を生成することが可能であってもよい。変調されたコード１５２全体は、約３２ｍｓの間続いてもよく、そして、３２のロジックビットを含んでもよい。変調されたコード１５２は、サウンド装置１０６によって、繰り返して、かつ周期的に出力されてもよい。一例では、各サウンドパルスの間に、クロックパルスが出力されてもよい。例えば、クロックパルスは、第１及び第２の周波数範囲の中間を中心とするものなどの、第３の周波数セットにおけるものであってもよい。この例では、クロックパルスは、２１，０００Ｈｚにおけるものであってもよい。クロックパルスは、新たなビットの開始を示すために使用されてもよい。プロセッサ１５６は、様々な方法で、オーディオ波１３６に、コード１３８を追加してもよい。
【００１５】
例えば、テレビ１２４が、波１３６を生成するために使用されている場合、プロセッサ１５６は、変調されたコード１５２を、その他の出力されるコンテンツ内にデジタル接合（ｄｉｇｉｔａｌｌｙ  ｓｐｌｉｃｅ）してもよい。スピーカ１２８が使用される例では、プロセッサ１５６は、同様に、変調されたコード１３８を、その他の出力コンテンツと並行して追加してもよい。ビーコンが使用される例では、プロセッサ１５６又はビーコン１２８は、変調されたコード１５２を生成するために、特別に設計されてもよい。
【００１６】
例えば、安価な装置が、スピーカを駆動するための方形波出力を生成するために使用されてもよい。図示されているように、プロセッサ１５６又はビーコン１２８は、マイクロコントローラ１９０と、電圧源２０８と、抵抗器２０４と、スイッチ２０６とを含んでもよい。電圧源２０８は、５ボルトのバッテリであってもよい。
【００１７】
マイクロプロセッサ１９０は、１００ｋＨｚを超えるクロック速度で動作することが可能なプロセッサであってもよく、そして、制限されたメモリを有してもよい。マイクロプロセッサ１９０は、例えば、６本の出力ピン１９２、１９４、１９６、１９８、２００、２０２を有する、ＰＩＣ１０Ｆ２００ＯＴであってもよい。図示されているように、ピン１９６、２００、及び２０２は、オープンのままにされてもよい。ピン１９４、及び１９８は、Ｖｄｄ、及びＶｓｓ端子に対応してもよく、そして、電圧源２０８と電気的に通じていてもよい。マイクロプロセッサ１９０は、１本の入力／出力ピン１９２を有してもよい。ピン１９２は、スイッチ２０６と電気的に通じていてもよい。スイッチ２０６は、ＮＰＮ又はＰＮＰトランジスタなどの、トランジスタであってもよく、ここで、ピン１９２が、ベースと電気的に通じていてもよく、抵抗器２０４が、コレクタと電気的に通じていてもよく、電圧源２０８の端子が、エミッタと電気的に通じていてもよい。抵抗器２０４のもう一方の端は、スピーカ１２８の第１の端子と電気的に通じていてもよい。スピーカ１２８の第２の端子は、電圧源２０８と電気的に通じていてもよい。コード１３８が、マイクロプロセッサ１９０のメモリ内に記憶されてもよい。マイクロプロセッサ１９０は、ロジック０に対応する第１の周波数範囲内での、方形波などの周期波を、スピーカ１２８に送信するように構成されてもよい。マイクロプロセッサ１９０は、ロジック１に対応する第２の周波数範囲内での、方形波を、スピーカ１２８に送信するように構成されてもよい。このようにして、マイクロプロセッサ１９０は、結果として、上記でより詳細に述べたように、コード１３８を周波数変調してもよい。この配置を使用すれば、スイッチ２０６は、周期波に応じて、電源２０８からの電力を、スピーカ１２８に、選択的に供給し、これにより、所望の周波数の波を、スピーカ１２８から出力することが可能である。
【００１８】
抵抗器２０４は、波１３６のボリュームの大きさを制御するように調節されてもよい。例えば、抵抗器２０４は、制御ホイールを有する可変の調節可能な抵抗器であってもよい。波１３６のボリュームは、スマートフォン１０４とサウンド装置１０６との間の距離ｄに比例し、ここで、コード１３８は、スマートフォン１０４によって復調されてもよい。ボリュームが小さすぎるか、又は、スマートフォン１０４がサウンド装置１０６から遠く離れすぎている場合、スマートフォン１０４は、変調されたコード１５２を復調するのが困難な可能性がある。例えば、ボリュームが小さすぎる場合、サウンド装置１０６の近くの雑音が、変調されたコード１５２からの、コード１３８の復調を困難にさせる可能性がある。逆に、スマートフォン１０４がサウンド装置１０６の近くにある場合にのみ、スマートフォン１０４が、変調されたコード１５２からコード１３８を復調することが可能であってもよいように、抵抗器２０４は、距離ｄを故意に制限するために使用されてもよい。例えば、スピーカ１２８と同じ通路内にあるスマートフォン１０４のみが、コード１３８を復調することが可能であってもよいように、ボリューム及びｄが調節されてもよい。
【００１９】
一例では、変調されたコード１５２をスマートフォン１０４が復調できる距離ｄが、サウンド装置１０６から３フィート（約９１．４４ｃｍ）であるように、抵抗２０４は、５００ＭΩなどの、比較的高い抵抗に設定されて、サウンド波１３６の低いボリュームをもたらしてもよい。別の例では、変調されたコード１５２をスマートフォン１０４が復調できる距離ｄが、サウンド装置１０６から２０フィート（約６．０９６ｍ）であるように、抵抗２０４は、１４０Ωなどのように、比較的低く設定されてもよい。
【００２０】
マイクロプロセッサ１９０は、単純な方形波を生成してもよいため、安価な使い捨てのマイクロプロセッサ１９０が使用されてもよい。例えば、マイクロプロセッサ１９０の価格は、わずか０．２０ドルであってもよく、プロセッサ１５６又はビーコン１２８の価格は、総額０．７５ドルであってもよい。そのような安価なプロセッサは、バッジ１３０などの、使い捨ての支持体と共に使用されてもよい。
【００２１】
サウンド波１３６は、スマートフォン１０４のマイクロフォン１４５によって受信され、プロセッサ１１３によって、アプリケーション１３４内の命令を使用して処理されてもよい。プロセッサ１１３は、変調されたコード１５２を復調して、コード１３８を再生してもよい。プロセッサ１１３は、次に、コード１３８に、スマートフォン１０４に関連する追加のコンテキストデータを追加して、強化されたコード１４０を生成してもよい。例えば、プロセッサ１１３は、スマートフォン１０４上に記憶されたアプリケーションの所有者に関連する情報（特定のブランド、マーク、又は会社の指示など）を追加してもよい。例えば、アプリケーション１３４は、会社Ｘによって所有されていてもよく、かつ、会社Ｘに関連する製品の販売を促進するために使用されてもよい。強化されたコード１４０は、スマートフォン１０４の位置、及び／又は、サウンド装置１０６の位置に関する情報を含んでもよい。強化されたコード１４０を受け取り次第、プロセッサ１５０が、スマートフォン１０４にコンテンツ１４８を繰り返して送信しなくてもよいように、強化されたコード１４０は、スマートフォン１０４の識別子を含んでもよい。
【００２２】
上述のように、強化されたコード１４０は、ネットワーク１１６上で、プロセッサ１５０へのクエリとして送信されてもよい。強化されたコード１４０に応えて、プロセッサ１５０は、コンテンツ１４８を、ネットワーク１１６上で、スマートフォン１０４に、ディスプレイ１１６上に出力するために送信してもよい。
【００２３】
一例では、ビーコン１２８は、棚１５４の上に置かれて、ブランドＸに関連するコード１３８を含む波１３６を出力してもよい。スマートフォン１０４は、波１３６を受信し、コード１３８を復調し、強化されたコード１４０を生成してもよい。プロセッサ１５０は、強化されたコード１４０を受信して、ブランドＸに関連するコンテンツ１４８を、スマートフォン１０４に送信してもよい。例えば、コンテンツ１４８は、ブランドＸに関連するクーポンを含んでもよい。
【００２４】
いくつかある利点の中でも特に大きな利点は、ユーザが現実世界の場所とのサウンド通信状態にある場合、又は、ユーザがメディアを体験している場合に、本開示によるシステムを使用している広告主が、ユーザのスマートフォンに安価に到達できる可能性がある、ということである。特定の周波数値がクエリとして使用される状況などにおいて、特定の周波数が放射されることを保証するために、プロセッサとフィードバックループとを必要とする、他の装置におけるような、高価なハードウェアが使用される必要はない。店内の通路などの、特定の位置における、潜在的ユーザのスマートフォンが対象にされてもよい。別の例では、変調されたコードを有するサウンド波を出力するために有効な、ビーコンを有する、安価な使い捨てのバッジを、会議の参加者が装着してもよい。コードは、（バッジを有する）人がスマートフォンのすぐ近くにいることを示すコンテンツ１４８をもたらしてもよく、バッジを装着している人に関する情報を更に提供してもよい。テレビコマーシャルが、人間には聞こえないコードを、聞こえるコマーシャルと組み合わせて出力してもよい。
【００２５】
図２を参照すると、本発明の一実施形態によって実行されてもよいプロセスが示されている。このプロセスは、例えば、図１に関して上述した、システム１００を使用して実施されてもよい。
【００２６】
ステップＳ２で、サウンド装置において、プロセッサは、コードに基づいて、周期波を生成してもよい。ステップＳ３で、プロセッサは、周期波を、スピーカに送信してもよい。ステップＳ４で、スピーカは、変調されたコードを含むサウンド波を出力してもよく、変調されたコードは、コードに基づくものである。
【００２７】
ステップＳ６で、スマートフォンは、変調されたコードを受信してもよい。ステップＳ８で、スマートフォンは、変調されたコードを復調して、コードを再生してもよい。ステップＳ１０で、スマートフォンは、コードを、ネットワーク上で、プロセッサへのクエリとして送信してもよい。
【００２８】
ステップＳ１２で、プロセッサは、コードを含むクエリを、スマートフォンから受信してもよい。ステップＳ１４で、プロセッサは、コードに関連するコンテンツを決定してもよい。ステップＳ１６で、プロセッサは、コンテンツを、スマートフォンに送信してもよい。
【００２９】
ステップＳ１８で、スマートフォンは、コンテンツを受信してもよい。ステップＳ２０で、スマートフォンは、コンテンツを出力してもよい。
【００３０】
様々な態様及び実施形態が、本明細書中で開示されたが、その他の態様及び実施形態は、当業者にとって明らかであろう。本明細書中で開示された様々な態様及び実施形態は、説明の目的のためのものであり、限定することを意図するものではなく、真の範囲及び精神は、特許請求の範囲によって示されている。
【図１】
2013069296.tif 000003
【図２】
2013069296.tif 000004